(57)【特許請求の範囲】
【請求項１】
内部抽選処理を含む遊技に係る制御を実行するとともに複数のコマンドを作成するメイン基板と、前記メイン基板から複数の前記コマンドを受けて演出に関する処理を実行するサブ基板とを備え、前記メイン基板と前記サブ基板の間に不正に設けられるぶら下がり基板による、前記メイン基板から前記サブ基板へ送られるコマンドの改変を報知するようにした遊技機であって、
前記メイン基板は、１回の遊技が終了したときに遊技終了コマンドを前記サブ基板へ送信するものであり、  前記メイン基板は、作成された複数の前記コマンドを作成された順に加算して得られる累積値を求める第１累積手段と、前記累積値を記憶する第１累積値記憶部と、前記コマンドを前記サブ基板へ送るための送信バッファとを備え、
前記サブ基板は、前記メイン基板から受けた複数の前記コマンドを受けた順に加算して得られる累積値を求める第２累積手段と、前記第２累積手段で求めた前記累積値を記憶する第２累積値記憶部と、前記メイン基板から受けた前記第１累積値記憶部の前記累積値を前記第２累積値記憶部の前記累積値と比較する比較部と、前記比較部の比較結果に基づきエラーである旨の報知を行うエラー報知部とを備え、
前記メイン基板において、作成された前記コマンドが前記送信バッファに設定されるときに、前記第１累積手段が、前記第１累積値記憶部から前記累積値を読み出してこれに当該コマンドを加算することにより前記累積値を求めるとともに、前記遊技終了コマンドを送信するタイミングにおいて、前記第１累積値記憶部が、記憶した前記累積値を前記送信バッファに設定することにより当該累積値を加算された前記コマンドとは別のコマンドとして前記サブ基板へ送信し、
前記サブ基板において、前記メイン基板から前記コマンドを受けたときに、前記第２累積手段が、前記第２累積値記憶部から前記累積値を読み出してこれに当該コマンドを加算することにより前記累積値を求めるとともに、前記メイン基板から前記累積値を受けたときに前記比較部により比較を行い、この結果が不一致であるときにエラーである旨の報知を行い、
前記第１累積手段及び前記第２累積手段が前記累積値を求める前記コマンドは、前記ぶら下がり基板により改変されるコマンドが含まれる、ことを特徴とする遊技機。
【請求項２】
内部抽選処理を含む遊技に係る制御を実行するとともに複数のコマンドを作成するメイン基板と、前記メイン基板から複数の前記コマンドを受けて演出に関する処理を実行するサブ基板とを備え、前記メイン基板と前記サブ基板の間に不正に設けられるぶら下がり基板による、前記メイン基板から前記サブ基板へ送られるコマンドの改変を報知するようにした遊技機であって、
前記メイン基板は、１回の遊技が終了したときに遊技終了コマンドを前記サブ基板へ送信するものであり、  前記メイン基板は、作成された複数の前記コマンドを作成された順に加算して得られる累積値を求める第１累積手段と、前記累積値を記憶する第１累積値記憶部と、前記コマンドを前記サブ基板へ送るための送信バッファとを備え、
前記サブ基板は、前記メイン基板から受けた複数の前記コマンドを受けた順に加算して得られる累積値を求める第２累積手段と、前記第２累積手段で求めた前記累積値を記憶する第２累積値記憶部と、前記メイン基板から受けた前記第１累積値記憶部の前記累積値を前記第２累積値記憶部の前記累積値と比較する比較部と、前記比較部の比較結果に基づきエラーである旨の報知を行うエラー報知部とを備え、
前記メイン基板において、作成された前記コマンドが前記送信バッファに設定されるときに、前記第１累積手段が、前記第１累積値記憶部から前記累積値を読み出してこれに当該コマンドを加算することにより前記累積値を求めるとともに、前記遊技終了コマンドを送信するタイミングにおいて、前記第１累積値記憶部が、記憶した前記累積値を前記送信バッファに設定することにより当該累積値を加算された前記コマンドとは別のコマンドとして前記サブ基板へ送信し、
前記サブ基板において、前記メイン基板から前記コマンドを受けたときに、前記第２累積手段が、前記第２累積値記憶部から前記累積値を読み出してこれに当該コマンドを加算することにより前記累積値を求めるとともに、前記メイン基板から前記累積値を受けたときに前記比較部により比較を行い、この結果が不一致であるときにエラーである旨の報知を行い、
前記第１累積手段及び前記第２累積手段が前記累積値を求める前記コマンドは、前記ぶら下がり基板により改変されるコマンドが含まれ、
所定のタイミングにおいて前記第１累積値記憶部及び前記第２累積値記憶部の内容を消去するクリア手段を備え、
前記累積値の送信タイミングの間隔は、前記累積値のクリアのタイミングの間隔よりも、短いことを特徴とする遊技機。
【請求項３】
前記コマンドは、電文の開始を示す第１電文とこれに続く第２電文とを含むものであり、
前記第１累積手段及び前記第２累積手段は、前記第２電文について前記累積値を求めることを特徴とする請求項１又は請求項２記載の遊技機。
【請求項４】
前記比較部による比較の後において、前記メイン基板から受けた前記累積値を前記第２累積値記憶部に上書き保存することを特徴とする請求項１乃至請求項３いずれかに記載の遊技機。
【請求項５】
前記エラー報知部は、前記予め定められたタイミングにおいて、前記メイン基板から前記累積値を受けないときにエラーである旨の報知を行うことを特徴とする請求項１乃至請求項４いずれかに記載の遊技機。
【発明の詳細な説明】
【技術分野】
【０００１】
本発明は、スロットマシンやパチンコ機などの遊技機に関し、特にメイン基板からサブ基板へ送られるコマンドに対する不正行為を防止するための技術に関する。
【背景技術】
【０００２】
スロットマシン等の遊技機にはメダルの投入口が設けられており、遊技者は所定の枚数のメダルを投入してゲームを楽しむことができる。遊技に必要なメダルは、遊技ホール内に設けられたメダル貸機等で借りることができ、所望の遊技機のメダル投入口に投入することによりゲームを開始することができる。
【０００３】
従来の遊技機の動作は次のようなものであった。
先ず、スタートスイッチが操作されることにより、スタートスイッチがＯＮとなる。これを受けて遊技機内部の当選判定手段により抽選処理が行われる。ここで所定の役に当選すると当選フラグがセットされる。回転リールの回転が開始する。ストップスイッチが操作されることにより、ストップスイッチがＯＮとなる。そして、対応する回転リールの回転が停止する。全部の回転リールに対応するストップスイッチの操作が行われた後、当選フラグ成立中に当該当選フラグに対応する入賞図柄が有効入賞ライン上に揃ったか否か、すなわち、入賞が確定したか否かが判定される。入賞が確定したと判定された場合、入賞図柄に相当するメダルが払い出される。
【０００４】
抽選処理の評価が例えば外れの場合は所定の図柄が揃わないように設定され（いわゆる蹴飛ばし）、当たりの場合はストップスイッチが所定のタイミングで押下されることなどを条件に所定の図柄が揃うように設定される（いわゆる引き込み）。つまり、抽選処理において当選しているときのみ所定の条件の下で図柄が揃い入賞することにより、メダルが払い出されるが、当選しないときはストップスイッチをどのように操作してもメダルが払い出されることはない。これはメダルの払い出しを一定確率に保つためである。これを実現するため抽選処理において乱数発生器が用いられている。
【０００５】
また、スロットマシンなどの遊技機は、演出表示を行うための液晶表示装置（ＬＣＤ）及び音響装置（スピーカ）を備える。液晶表示装置には演出に係るアニメーションなどが表示され、スピーカからは音楽や効果音とともに当該アニメーションに対応するナレーションや台詞などの音声が出力される。
【０００６】
この制御は、主に遊技処理を実行する制御部（メイン基板）から、主に演出処理を実行する副制御部（サブ基板）へ予め定められたコマンドを送信することで実現されている。
【先行技術文献】
【特許文献】
【０００７】
【特許文献１】特開２００９−１００９４４号公報
【特許文献２】特開平０９−１８２８５０号公報
【特許文献３】特開２００１−０００６８６号公報
【発明の概要】
【発明が解決しようとする課題】
【０００８】
ところで、遊技機に対する不正行為が大きな問題になっている。不正行為にはさまざまなものがある。ＲＯＭを交換したり、制御部そのものを交換することのほか、制御部と副制御部の間に不正に基板（ぶら下がり基板）を設け、制御部から副制御部へ送られるコマンドを改変して遊技者に有利な演出を行わせるという不正行為（ぶら下がりゴト）が存在する。当該不正行為では、副制御部による画面表示やランプの点灯などは正常に行わせているので、一見して不正行為とはわからない。したがって、このような不正行為の摘発は困難である。
【０００９】
この発明は、上記不正行為を防止するためになされたもので、いわゆるぶら下がり基板によるコマンド改変を検知することのできる遊技機を提供することを目的とする。
【課題を解決するための手段】
【００１０】
この発明は、内部抽選処理を含む遊技に係る制御を実行するとともに所定のコマンドを作成するメイン基板と、前記メイン基板から前記コマンドを受けて演出に関する処理を実行するサブ基板とを備える遊技機において、
前記メイン基板は、作成された前記コマンドについて累積値を求める第１累積手段と、前記累積値を記憶する第１累積値記憶部と、前記コマンドを前記サブ基板へ送るための送信バッファとを備え、
前記サブ基板は、前記メイン基板から受けた前記コマンドについて累積値を求める第２累積手段と、前記第２累積手段で求めた前記累積値を記憶する第２累積値記憶部と、前記メイン基板から受けた前記第１累積値記憶部の前記累積値を前記第２累積値記憶部の前記累積値と比較する比較部と、前記比較部の比較結果に基づきエラーである旨の報知を行うエラー報知部とを備え、
前記メイン基板において、作成された前記コマンドが前記送信バッファに設定されるときに、前記第１累積手段が、前記第１累積値記憶部から前記累積値を読み出してこれに当該コマンドを加算することにより前記累積値を求めるとともに、予め定められたタイミングにおいて、前記第１累積値記憶部が、記憶した前記累積値を前記送信バッファに設定することにより当該累積値を前記サブ基板へ送信し、
前記サブ基板において、前記メイン基板から前記コマンドを受けたときに、前記第２累積手段が、前記第２累積値記憶部から前記累積値を読み出してこれに当該コマンドを加算することにより前記累積値を求めるとともに、前記メイン基板から前記累積値を受けたときに前記比較部により比較を行い、この結果が不一致であるときにエラーである旨の報知を行う、ものである。
【００１１】
前記コマンドは、電文の開始を示す第１電文とこれに続く第２電文とを含むものであり、
前記第１累積手段及び前記第２累積手段は、前記第２電文について累積値を求めるようにしてもよい。
【００１２】
所定のタイミングにおいて前記第１累積値記憶部及び前記第２累積値記憶部の内容を消去するクリア手段を備えるようにしてもよい。
【００１３】
前記比較部による比較の後において、前記メイン基板から受けた前記累積値を前記第２累積値記憶部に上書き保存するようにしてもよい。
【００１４】
前記エラー報知部は、前記予め定められたタイミングにおいて、前記メイン基板から前記累積値を受けないときにエラーである旨の報知を行うようにしてもよい。
【００１５】
前記メイン基板は、１回の遊技が終了したときに遊技終了コマンドを前記サブ基板へ送信するものであり、
前記予め定められたタイミングは、前記遊技終了コマンドを送信するときであってもよい。
【発明の効果】
【００１６】
この発明によれば、メイン基板とサブ基板それぞれにおいてコマンドの累積値を求め、予め定められたタイミングで両者を比較し、不一致のときに不正行為と判定するようにしたので、遊技処理を実行する制御部（メイン基板）から、演出処理を実行する副制御部（サブ基板）へ送られるコマンドの改変を検知することができる。これに基づきエラーである旨の報知を行うことができる。
【図面の簡単な説明】
【００１７】
【図１】前扉を閉めた状態を示すスロットマシンの正面図である。
【図２】前扉を１８０度開いた状態を示すスロットマシンの正面図である。
【図３】スロットマシンのブロック図である。
【図４】スロットマシンの遊技処理のフローチャートである。
【図５】発明の実施の形態に係る遊技機のブロック図である。
【図６】発明の実施の形態に係るコマンドを送信バッファに設定する処理フローチャートである。
【図７】発明の実施の形態に係るメイン基板の累積値を送信バッファに設定する処理フローチャートである。
【図８】発明の実施の形態に係るメイン基板の設定変更時の処理フローチャートである。
【図９】発明の実施の形態に係るサブ基板のコマンド受信処理のフローチャートである。
【図１０】発明の実施の形態に係るサブ基板のエラー解除コマンド受信処理のフローチャートである。
【図１１】発明の実施の形態に係るサブ基板の設定変更時の処理フローチャートである。
【図１２】発明の実施の形態に係るコマンド構造の説明図である。
【発明を実施するための形態】
【００１８】
図１は前扉を閉めた状態を示すスロットマシンの正面図、図２は前扉を１８０度開いた状態を示すスロットマシンの正面図を示す。
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２の下側には、メダル投入口１３２から投入され、詰まってしまったメダルをスロットマシン１００外に強制的に排出するためのリジェクトボタン１３３が設けられている。
また、前記ゲーム表示部１３１の左下方には、ゲームを開始するためのスタートスイッチ１３４を設けてあり、３つの回胴のそれぞれに対応して３つのストップスイッチ１４０を設けてある。前扉の下端部中央には、メダルの払出し口１３５を設けてある。前記ゲーム表示部１３１の上側には、液晶表示装置ＬＣＤが設けてある。
【００１９】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回胴からなるリール（回胴）ユニット２０３が設置されている。リールユニット２０３は、外周面に複数種類の図柄が配列されている３つの回胴（第１回胴〜第３回胴）を備えている。ゲーム表示部１３１には開口部が設けられていて、それを通して遊技者が前記リールユニット２０３の各回転回胴の図柄を見ることができるようになっている。ホッパ装置１２１の左側には電源部２０５が設けられている。
【００２０】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２１】
図３は発明の実施の形態に係るスロットマシン１００の機能ブロック図を示す。
この図において電源系統についての表示は省略されている。図示しないが、スロットマシンは商用電源（ＡＣ１００Ｖ）から直流電源（＋５Ｖなど）を発生するための電源部を備える。
【００２２】
スロットマシン１００は、その主要な処理装置としてメイン基板（処理部）１０とこれからコマンドを受けて動作するサブ基板２０とを備える。なお、少なくともメイン基板１０は、外部から接触不能となるようにケース内部に収容され、これら基板を取り外す際に痕跡が残るように封印処理が施されている。
【００２３】
メイン基板１０は、遊技者の操作を受けて内部抽選を行ったり、リールの回転・停止やメダルの払い出しなどの処理（遊技処理）を行うためのものである。メイン基板１０は、予め設定されたプログラムに従って制御動作を行うＣＰＵと、前記プログラムを記憶する記憶手段であるＲＯＭおよび処理結果などを一時的に記憶するＲＡＭを含む。
【００２４】
サブ基板２０は、メイン基板１０からコマンド信号を受けて内部抽選の結果を報知したり各種演出を行うためのものである。サブ基板２０は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１０からサブ基板２０への一方のみであり、逆にサブ基板２０からメイン基板１０へコマンド等が出されることはない。
【００２５】
メイン基板１０には、ベットスイッチＢＥＴ、スタートスイッチ１３４，ストップボタン１４０，リールユニット（リール駆動装置を含む）２０３，リール位置検出回路７１、ホッパ駆動部８０、ホッパ８１及びホッパ８１から払い出されたメダルの枚数を数えるためのメダル検出部８２（これらは前述のホッパ装置１２１を構成する）が接続されている。サブ基板２０には液晶表示装置の制御用の液晶制御基板２００、スピーカ基板２０１、ＬＥＤ基板２０２などの周辺基板（ローカル基板）が接続されている。
【００２６】
メイン基板１０には、さらに、メダルセレクタ１のメダルセンサＳ１及びＳ２が接続されている。
【００２７】
メダルセレクタ１には、メダルを計数するためのメダルセンサＳ１及びＳ２が設けられている。メダルセンサＳ１及びＳ２は、メダルセレクタ１に設けられた図示しないメダル通路の下流側（出口近傍）に設けられている（メダル通路の上流側はメダル投入口１３２に連通している）。２つのメダルセンサＳ１とＳ２は、メダルの進行方向に沿って所定間隔を空けて並べて設けられている。メダルセンサＳ１、Ｓ２は、例えば、互いに対向した発光部と受光部とを有して断面コ字状に形成され、その検出光軸をメダル通路内に上方から臨ませて位置するフォトインタラプタである。各フォトインタラプタにより、途中で阻止されずに送られてきたメダルの通過が検出される。なお、フォトインタラプタを２つ隣接させたのは、メダル枚数を検出するだけでなく、メダルの通過が正常か否かを監視するためである。すなわち、フォトインタラプタを２つ隣接させて設けることにより、メダルの通過速度や通過方向を検出することができ、これによりメダル枚数だけでなく、逆方向に移動する不正行為を感知することができる。
【００２８】
ホッパ駆動部８０は、ホッパ８１を回転駆動して、メイン基板１０によって指示された払出数のメダルを払い出す動作を行う。遊技機は、メダルを１枚払い出す毎に作動するメダル検出部８２を備えており、メイン基板１０は、メダル検出部８２からの入力信号に基づいてホッパ８１から実際に払い出されたメダルの数を管理することができる。
【００２９】
投入受付部１０５０は、メダルセレクタ１のメダルセンサＳ１とＳ２の出力を受け、遊技毎にメダルの投入を受け付けて、規定投入数に相当するメダルが投入されたことに基づいて、スタートスイッチ１３４に対する第１リール〜第３リールの回転開始操作を許可する処理を行う。なお、スタートスイッチ１３４の押下操作が、第１リール〜第３リールの回転を開始させる契機となっているとともに、内部抽選を実行する契機となっている。また、遊技状態に応じて規定投入数を設定し、通常状態およびボーナス成立状態では規定投入数を３枚に設定し、ボーナス状態では規定投入数を１枚に設定する。
【００３０】
メダルが投入されると、遊技状態に応じた規定投入数を限度として、投入されたメダルを投入状態に設定する。あるいは、遊技機にメダルがクレジットされた状態で、ベットスイッチＢＥＴが押下されると、遊技状態に応じた規定投入数を限度して、クレジットされたメダルを投入状態に設定する。メダルの投入を受け付けるかどうかは、メイン基板１０が制御する。メダルの投入を受け付ける状態になっていないときは（許可されていないときは）、メダルを投入してもメダルセンサＳ１、Ｓ２でカウントされず、そのまま返却される。同様に、メイン基板１０はベットスイッチＢＥＴの有効／無効を制御する。ベットスイッチＢＥＴが有効になっていないときは（許可されていないときは）、ベットスイッチＢＥＴを押下しても、それは無視される。
【００３１】
メイン基板１０は、乱数発生手段１１００を内蔵する。乱数発生手段１１００は、抽選用の乱数値を発生させる手段である。乱数値は、例えば、インクリメントカウンタ（所定のカウント範囲を循環するように数値をカウントするカウンタ）のカウント値に基づいて発生させることができる。なお本実施形態において「乱数値」には、数学的な意味でランダムに発生する値のみならず、その発生自体は規則的であっても、その取得タイミング等が不規則であるために実質的に乱数として機能しうる値も含まれる。
【００３２】
内部抽選手段１２００は、遊技者がスタートスイッチ１３４からのスタート信号に基づいて、役の当否を決定する内部抽選を行う。すなわち、メイン基板１０のメモリ（図示せず）に記憶されている抽選テーブル（図示せず）を選択する抽選テーブル選択処理、乱数発生手段１０５０から得た乱数の当選を判定する乱数判定処理、当選の判定結果で大当たりなどに当選したときにその旨のフラグを設定する抽選フラグ設定処理などを行う。
【００３３】
抽選テーブル選択処理では、図示しない記憶手段（ＲＯＭ）に格納されている複数の抽選テーブル（図示せず）のうち、いずれの抽選テーブルを用いて内部抽選を行うかを決定する。抽選テーブルでは、複数の乱数値（例えば、０〜６５５３５の６５５３６個の乱数値）のそれぞれに対して、リプレイ、小役（ベル、チェリー）、レギュラーボーナス（ＲＢ：ボーナス）、およびビッグボーナス（ＢＢ：ボーナス）などの各種の役が対応づけられている。また、遊技状態として、通常状態、ボーナス成立状態、およびボーナス状態が設定可能とされ、さらにリプレイの抽選状態として、リプレイ無抽選状態、リプレイ低確率状態、リプレイ高確率状態が設定可能とされる。
【００３４】
乱数判定処理では、スタートスイッチ１３４からのスタート信号に基づいて、遊技毎に前記乱数発生手段（図示せず）から乱数値（抽選用乱数）を取得し、取得した乱数値について前記抽選テーブルを参照して役に当選したか否かを判定する。
【００３５】
抽選フラグ設定処理では、乱数判定処理の結果に基づいて、当選したと判定された役の抽選フラグを非当選状態（第１のフラグ状態、オフ状態）から当選状態（第２のフラグ状態、オン状態）に設定する。２種類以上の役が重複して当選した場合には、重複して当選した２種類以上の役のそれぞれに対応する抽選フラグが当選状態に設定される。抽選フラグの設定情報は、記憶手段（ＲＡＭ）に格納される。
【００３６】
入賞するまで次回以降の遊技に当選状態を持ち越し可能な抽選フラグ（持越可能フラグ）と、入賞の如何に関わらず次回以降の遊技に当選状態を持ち越さずに非当選状態にリセットされる抽選フラグ（持越不可フラグ）とが用意されていることがある。この場合、前者の持越可能フラグが対応づけられる役としては、レギュラーボーナス（ＲＢ）およびビッグボーナス（ＢＢ）があり、それ以外の役（例えば、小役、リプレイ）は後者の持越不可フラグに対応づけられている。すなわち抽選フラグ設定処理では、内部抽選でレギュラーボーナスに当選すると、レギュラーボーナスの抽選フラグの当選状態を、レギュラーボーナスが入賞するまで持ち越す処理を行い、内部抽選でビッグボーナスに当選すると、ビッグボーナスの抽選フラグの当選状態を、ビッグボーナスが入賞するまで持ち越す処理を行う。このときメイン基板１０は、内部抽選機能により、レギュラーボーナスやビッグボーナスの抽選フラグの当選状態が持ち越されている遊技でも、レギュラーボーナスおよびビッグボーナス以外の役（小役およびリプレイ）についての当否を決定する内部抽選を行っている。すなわち抽選フラグ設定処理では、レギュラーボーナスの抽選フラグの当選状態が持ち越されている遊技において、内部抽選で小役あるいはリプレイが当選した場合には、既に当選しているレギュラーボーナスの抽選フラグと内部抽選で当選した小役あるいはリプレイの抽選フラグとからなる２種類以上の役に対応する抽選フラグを当選状態に設定し、ビッグボーナスの抽選フラグの当選状態が持ち越されている遊技において、内部抽選で小役あるいはリプレイが当選した場合には、既に当選しているビッグボーナスの抽選フラグと内部抽選で当選した小役あるいはリプレイの抽選フラグとからなる２種類以上の役に対応する抽選フラグを当選状態に設定する。
【００３７】
リプレイ処理手段１６００は、所定条件下で内部抽選におけるリプレイの当選確率を変動させる制御を行うことがある。リプレイ処理手段１６００については、後に再度説明を加える。リプレイの抽選状態として、リプレイが内部抽選の対象から除外されるリプレイ無抽選状態、リプレイの当選確率が約１／７．３に設定されるリプレイ低確率状態、およびリプレイの当選確率が約１／６に設定されるリプレイ高確率状態という複数種類の抽選状態を設定可能とされている。リプレイの抽選状態を変化させることにより、内部抽選におけるリプレイの当選確率を変動させる。
【００３８】
リール制御手段１３００は、遊技者がスタートスイッチ１３４の押下操作（回転開始操作）によるスタート信号に基づいて、第１リール〜第３リールをステッピングモータにより回転駆動して、第１リール〜第３リールの回転速度が所定速度（約８０ｒｐｍ：１分間あたり約８０回転となる回転速度）に達した状態において回転中のリールにそれぞれ対応する３つのストップボタン１４０の押下操作（停止操作）を許可する制御を行うとともに、ステッピングモータにより回転駆動されている第１リール〜第３リールを抽選フラグの設定状態（内部抽選の結果）に応じて停止させる制御を行う。
【００３９】
また、リール制御手段１３００は、３つのストップボタン１４０に対する押下操作（停止操作）が許可（有効化）された状態において、遊技者が３つのストップボタン１４０を押下することにより、そのリール停止信号に基づいて、リールユニット２０３のステッピングモータへの駆動パルス（モータ駆動信号）の供給を停止することにより、第１リール〜第３リールの各リールを停止させる制御を行う。
【００４０】
すなわち、リール制御手段１３００は、３つのストップボタン１４０の各ボタンが押下される毎に、第１リール〜第３リールのうち押下されたボタンに対応するリールの停止位置を決定して、決定された停止位置でリールを停止させる制御を行っている。具体的には、記憶手段（ＲＯＭ）に記憶されている停止制御テーブル（図示せず）を参照して３つのストップボタンの押下タイミングや押下順序等（停止操作の態様）に応じた第１リール〜第３リールの停止位置を決定し、決定された停止位置で第１リール〜第３リールを停止させる制御を行う。
【００４１】
ここで停止制御テーブルでは、ストップボタン１４０の作動時点における第１リール〜第３リールの位置（押下検出位置）と、第１リール〜第３リールの実際の停止位置（または押下検出位置からの滑りコマ数）との対応関係が設定されている。抽選フラグの設定状態に応じて、第１リール〜第３リールの停止位置を定めるための停止制御テーブルが用意されることもある。
【００４２】
遊技機では、リールユニット２０３がフォトセンサからなるリールインデックス（図示せず）を備えており、リール制御手段１３００は、リールが１回転する毎にリールインデックスで検出される基準位置信号に基づいて、リールの基準位置（リールインデックスによって検出されるコマ）からの回転角度（ステップモータの回転軸の回転ステップ数）を求めることによって、現在のリールの回転状態を監視することができるようになっている。すなわち、メイン基板１０は、ストップスイッチ１４０の作動時におけるリールの位置を、リールの基準位置からの回転角度を求めることにより得ることができる。
【００４３】
リール制御手段１３００は、いわゆる引き込み処理と蹴飛ばし処理とをリールを停止させる制御として行っている。引き込み処理とは、抽選フラグが当選状態に設定された役に対応する図柄が有効な入賞判定ライン上に停止するように（当選した役を入賞させることができるように）リールを停止させる制御処理である。一方蹴飛ばし処理とは、抽選フラグが非当選状態に設定された役に対応する図柄が有効な入賞判定ライン上に停止しないように（当選していない役を入賞させることができないように）リールを停止させる制御処理である。すなわち本実施形態の遊技機では、上記引き込み処理及び蹴飛ばし処理を実現させるべく、抽選フラグの設定状態、ストップボタン１４０の押下タイミング、押下順序、既に停止しているリールの停止位置（表示図柄の種類）などに応じて各リールの停止位置が変化するように停止制御テーブルが設定されている。このように、メイン基板１０は、抽選フラグが当選状態に設定された役の図柄を入賞の形態で停止可能にし、一方で抽選フラグが非当選状態に設定された役の図柄が入賞の形態で停止しないように第１リール〜第３リールを停止させる制御を行っている。
【００４４】
本実施形態の遊技機では、第１リール〜第３リールが、ストップボタン１４０が押下された時点から１９０ｍｓ以内に、押下されたストップボタンに対応する回転中のリールを停止させる制御状態に設定されている。すなわち回転している各リールの停止位置を決めるための停止制御テーブルでは、ストップボタン１４０の押下時点から各リールが停止するまでに要するコマ数が０コマ〜４コマの範囲（所定の引き込み範囲）で設定されている。
【００４５】
入賞判定手段１４００は、第１リール〜第３リールの停止態様に基づいて、役が入賞したか否かを判定する処理を行う。具体的には、記憶手段（ＲＯＭ）に記憶されている入賞判定テーブルを参照しながら、第１リール〜第３リールの全てが停止した時点で入賞判定ライン上に表示されている図柄組合せが、予め定められた役の入賞の形態であるか否かを判定する。
【００４６】
入賞判定手段１４００は、その判定結果に基づいて、入賞時処理を実行する。入賞時処理としては、例えば、小役が入賞した場合にはホッパ８１を駆動してメダルの払出制御処理が行われるか、あるいはクレジットの増加され（規定の最大枚数例えば５０枚まで増加され、それを超えた分だけ実際にメダル払い出される）、リプレイが入賞した場合にはリプレイ処理が行われ、ビッグボーナスやレギュラーボーナスが入賞した場合には遊技状態を移行させる遊技状態移行制御処理が行われる。
【００４７】
払出制御手段１５００は、遊技結果に応じたメダルの払い出しに関する払出制御処理を行う。具体的には、小役が入賞した場合に、役毎に予め定められている配当に基づいて遊技におけるメダルの払出数を決定し、決定された払出数に相当するメダルを、ホッパ駆動部８０でホッパ８１を駆動して払い出させる。この際に、ホッパ８１に内蔵される図示しないモータに電流が流れることになる。
【００４８】
メダルのクレジット（内部貯留）が許可されている場合には、ホッパ８１によって実際にメダルの払い出しを行う代わりに、記憶手段（ＲＡＭ）のクレジット記憶領域（図示省略）に記憶されているクレジット数（クレジットされたメダルの数）に対して払出数を加算するクレジット加算処理を行って仮想的にメダルを払い出す処理を行う。
【００４９】
リプレイ処理手段１６００は、リプレイが入賞した場合に、次回の遊技に関して遊技者の所有するメダルの投入を要さずに前回の遊技と同じ準備状態に設定するリプレイ処理（再遊技処理）を行う。リプレイが入賞した場合には、遊技者の手持ちのメダル（クレジットメダルを含む）を使わずに前回の遊技と同じ規定投入数のメダルが自動的に投入状態に設定される自動投入処理が行われ、遊技機が前回の遊技と同じ入賞判定ラインを有効化した状態で次回の遊技における回転開始操作（遊技者によるスタートスイッチ１３４の押下操作）を待機する状態に設定される。
【００５０】
また、メイン基板１０は、通常状態、ボーナス成立状態、およびボーナス状態の間で遊技状態を移行させる制御を行うことがある（遊技状態移行制御機能）。遊技状態の移行条件は、１の条件が定められていてもよいし、複数の条件が定められていてもよい。複数の条件が定められている場合には、複数の条件のうち１の条件が成立したこと、あるいは複数の条件の全てが成立したことに基づいて、遊技状態を他の遊技状態へ移行させることができる。
【００５１】
通常状態は、複数種類の遊技状態の中で初期状態に相当する遊技状態で、通常状態からはボーナス成立状態への移行が可能となっている。ボーナス成立状態は、内部抽選でビッグボーナスあるいはレギュラーボーナスに当選したことを契機として移行する遊技状態である。ボーナス成立状態では、通常状態における内部抽選でビッグボーナスが当選した場合、ビッグボーナスが入賞するまでビッグボーナスに対応する抽選フラグが当選状態に維持され、通常状態における内部抽選でレギュラーボーナスが当選した場合、レギュラーボーナスが入賞するまでレギュラーボーナスに対応する抽選フラグが当選状態に維持される。ボーナス状態では、ボーナス遊技によって払い出されたメダルの合計数により終了条件が成立したか否かを判断し、入賞したボーナスの種類に応じて予め定められた払出上限数を超えるメダルが払い出されると、ボーナス状態を終了させて、遊技状態を通常状態へ復帰させる。
【００５２】
リールユニット２０３は、図示しない３つのリールを備えるが、３つのリールそれぞれにひとつづつステッピングモータが取り付けられている。ステッピングモータは、回転子（ロータ）として歯車状の鉄心あるいは永久磁石を備え、固定子（ステータ）として複数の巻線（コイル）を備え、電流を流す巻線を切り替えることによって回転動作させるものである。すなわち、固定子の巻線に電流を流して磁力を発生させ、回転子を引きつけることで回転するものである。回転軸を指定された角度で停止させることが可能なことから、スロットマシンのリールの回転駆動に使用されている。複数の巻線がひとつの相を構成する。相の数として、例えば、２つ（二相）、４つ（４相）、５つ（５相）のものもある。
【００５３】
ステッピングモータは、各相の巻線への電流の与え方を変えることにより、特性を変えることができる（励磁モードが変わる）。二相型については次の通りである。
【００５４】
・一相励磁
常に巻線一相のみに電流を流す。位置決め精度は良い。
【００５５】
・二相励磁 
二相に電流を流す。一相励磁の約２倍の出力トルクが得られる。位置決め精度は良く、停止したときの静止トルクが大きいため、停止位置を確実に保持できる。
【００５６】
・一−二相励磁 
一相と二相を交互に切り替えて電流を流す。一相励磁・二相励磁の場合のステップ角度の半分にすることができるので、滑らかな回転を得られる。
【００５７】
なお、ステッピングモータを「駆動する」とは、当該モータを上記励磁により回転させることとともに、所望の位置で停止させその位置を保持するために各相を励磁することも含むものとする。
【００５８】
スロットマシンでは、例えば、４相の基本ステップ角度１．４３度のステッピングモータを使用し、パルスの出力方法として一−二相励磁を採用している。
【００５９】
次に、遊技機における遊技処理について図４を参照して説明を加える。
【００６０】
一般的に、遊技機において、メダルの投入（クレジットの投入）に始まり、払い出しが終了するまで（又はクレジット数の増加が終了するまで）が一遊技である。一遊技が終了するまでは次回の遊技に進めないという決まりがある。
【００６１】
先ず、規定枚数のメダルが投入されることでスタートスイッチ１３４が有効になり、図４の処理が開始される。
【００６２】
ステップＳ１において、スタートスイッチ１３４が操作されることにより、スタートスイッチ１３４がＯＮとなる。そして、次のステップＳ２に進む。
【００６３】
ステップＳ２において、メイン基板１０により抽選処理が行われる。そして、次のステップＳ３に進む。
【００６４】
ステップＳ３において、第１リール〜第３リールの回転が開始する。そして、次のステップＳ４に進む。
【００６５】
ステップＳ４において、ストップボタン１４０が操作されることにより、ストップボタン１４０がＯＮとなる。そして、次のステップＳ５に進む。
【００６６】
ステップＳ５において、第１リール〜第３リールのうち押下されたストップボタン１４０に対応するリールについて回転停止処理が行われる。そして、次のステップＳ６に進む。
【００６７】
ステップＳ６において、三個のリールに対応するストップボタン１４０の操作が行われたか否かが判定される。そして、三個のリールに対応する３つのストップボタン１４０すべての操作が行われたと判定された場合、次のステップＳ７に進む。
【００６８】
ステップＳ７において、抽選フラグ成立中に当該抽選フラグに対応する入賞図柄が有効入賞ライン上に揃ったか否か、すなわち、入賞が確定したか否かが判定される。そして、入賞が確定したと判定された場合、次のステップＳ８に進む。なお、入賞が確定しなかったときは、抽選フラグが成立していてもメダルの払い出しは行われない。
【００６９】
ステップＳ８において、入賞図柄に相当するメダルが払い出される。
【００７０】
メダルの投入からステップＳ８の実行完了までが、一遊技である。ステップＳ８の待機処理が終了すると、処理はフローチャートの最初に戻る。言い換えれば、次の遊技が可能な状態になる（次遊技へ移行する）。
【００７１】
次に、図５以降を参照して、本発明の実施の形態に係る遊技機について説明を加える。
【００７２】
図５は、本発明の実施の形態に係る不正行為検知のための装置のブロック図である。同図の装置は、例えば、メイン基板１０、サブ基板２０のＣＰＵがそれぞれ所定のプログラムを実行することで実現される。あるいは、ＩＣなどのハードウエアで実現することもできる。
【００７３】
１０−１は、メイン基板１０に設けられ、そこで作成されてサブ基板２０へ送られるコマンドについて累積値を求める第１累積手段である。
【００７４】
１０−２は、メイン基板１０に設けられ、第１累積手段１０−１で求めた累積値を記憶する第１累積値記憶部である。
【００７５】
１０−３は、コマンドをサブ基板２０へ送るための送信バッファである。
【００７６】
１０−４は、遊技機の電源投入後において（例えば設定変更後において、あるいは初期設定の際に）、第１累積値記憶部１０−２の内容を消去するクリア手段である。
【００７７】
２０−１は、サブ基板２０に設けられ、メイン基板１０から受けたコマンドについて累積値を求める第２累積手段である。
【００７８】
２０−２は、サブ基板２０に設けられ、第２累積手段２０−１で求めた累積値を記憶する第２累積値記憶部である。
【００７９】
２０−３は、メイン基板１０から受けた第１累積値記憶部１０−２の累積値（メイン累積値）を第２累積値記憶部２０−２の累積値（サブ累積値）と比較する比較部である。
【００８０】
２０−４は、比較部２０−３の比較結果に基づきエラーである旨の報知を行うエラー報知部である。
【００８１】
２０−５は、遊技機の電源投入後において（例えば設定変更後において）、第２累積値記憶部２０−２の内容を消去するクリア手段である。
【００８２】
２０−６は、メイン基板１０からのデータ（コマンドや累積値）を受信する受信部である。
【００８３】
累積手段１０−１と２０−１は、設置されている場所が異なる点を除き全く同じものであり、同じ動作を行い、同じ累積値を計算する。累積値記憶部１０−２と２０−２、及び、クリア手段１０−４と２０−５についても同じである。
【００８４】
図５に示すメイン基板１０において、作成されたコマンドが送信バッファ１０−３に設定されるときに、第１累積手段１０−１が、第１累積値記憶部１０−２から累積値を読み出してこれに当該コマンドの電文２を加算することにより前記累積値を求める。例えば、第１累積値記憶部１０−２の累積値ａ（ｎ−１）とし、電文２のデータをｘとすれば、ａ（ｎ）＝ａ（ｎ−１）＋ｘを求め、ａ（ｎ）を第１累積値記憶部１０−２に上書き保存する。ｎは自然数であり、加算の繰り返し回数を意味する。ただし、ｎ自体は上記処理を行う際に必須ではなく、ｎを考慮することなく上記処理を行うことができる。
【００８５】
上記処理は、第２累積手段２０−１、第２累積値記憶部２０−２についても同じである。
ここで「加算」は、算術的な意味の加算とともに、他の算術演算である減算、乗算、除算、論理演算である排他的論理和、あるいは他の演算をも含む概念である。要するに、生成される一連のコマンドの電文２に関し、それら全てに基づき固有の値を生成可能な演算であれば、本発明の実施の形態において「加算」として用いることができる。なお、「加算」により値が増加するようになることがあるが、この場合においてはその一部のビットについてのみ累積値として扱うようにする（オーバーフローを避けるため）。例えば、３ＦＨでマスクすることにより、下位６ビットのみを処理対象とすることができる。
【００８６】
メイン基板１０で作成されるコマンドは電文１と電文２の組み合わせである。例えば、電文１と電文２はそれぞれ１バイトである。コマンド作成手法は公知であるのでその説明は省略する。なお、コマンドの構造については後に説明を加える。
【００８７】
予め定められたタイミングにおいて（例えば遊技終了時点で）、第１累積値記憶部１０−２が、記憶した累積値を送信バッファ１０−３に設定することにより累積値をサブ基板２０へ送信する。送信バッファ１０−３に送信すべきデータ（コマンドや累積値）をセットすると、割り込み処理により自動的に送信が行われる。この送信処理自体は公知であるので説明は省略する。
【００８８】
サブ基板２０において、メイン基板１０から累積値を受けたときに比較部２０−３により比較を行い、この結果が不一致であるときにエラー報知部２０−４によりエラーである旨の報知（エラー報知）を行う。エラー報知はブザーの吹鳴などであるが、エラー報知自体は公知であるのでその説明は省略する。
【００８９】
図６は、通常のコマンドをコマンド送信バッファ１０−３に設定するときの処理フローチャートである。同図の処理は、サブ基板２０の所定の演出を行わせるためのコマンド（公知）をコマンド送信バッファ１０−３に設定したときに、図５の装置が行う処理を示す。なお、コマンドを送信するための本来の処理も行われるが、図６においてその表示は省略している。
【００９０】
Ｓ２０：第１累積手段１０−１が、送信バッファ１０−３に設定された（あるいはまだ設定されていないがやがて設定されるべき）コマンドの電文２を取り出して、第１累積値記憶部１０−２の累積値に加算し、加算したものを第１累積値記憶部１０−２に上書きする。
【００９１】
Ｓ２１：メイン基板１０がコマンド送信を行う。これは割り込み処理で行われる。この処理は公知である。
【００９２】
図７は、累積値をコマンド送信バッファ１０−３に設定するときの処理フローチャートである。この処理は、Ｓ３０で示されるように、例えば１遊技の終了時点で行われる。図４で言えば、Ｓ８の処理を終了した時点（入賞していなければＳ６の後）においてＳ３０でＹＥＳとなり、Ｓ３１とＳ３２の処理が行われる。
【００９３】
Ｓ３１：第１累積値記憶部１０−２が記憶している累積値を読み出して送信バッファ１０−３に設定する。
【００９４】
このとき、上記累積値を電文２として設定するとともに、電文１として「累積値を送信した旨のコマンド（データ）」を設定するようにしてもよい。このようにすれば、サブ基板２０は受信したデータが累積値であることがわかり、その後の処理を適切に行うことができる（図９のＳ５０参照）。
【００９５】
Ｓ３２：メイン基板１０が通常のコマンドと同様に送信を行う。これは割り込み処理で行われる。この処理は公知である。
【００９６】
図８は、設定変更時の処理である。
内部抽選手段１２００には、例えば設定値１〜６にそれぞれ対応する複数の抽選テーブルが格納されており、設定変更によって設定された設定値に対応した抽選テーブルを用いて抽選処理が行われる。設定値とは、予め用意された複数の抽選テーブルのそれぞれに対応付けられたものであり、これら複数の抽選テーブルのいずれかを選択するためのものである。設定変更とは、前記設定値を変更することである。テーブルの種類によって当選の確率が変わる。
【００９７】
設定変更手順は概ね次のとおりである。
（１）図示しない設定変更キースイッチ（遊技機の扉内に設けられていて、鍵を挿入して操作することによりオンオフするスイッチ）をオンにする。
（２）図示しない設定変更スイッチ（遊技機の扉内に設けられている）を押下する。
設定変更スイッチが１回押下されるごとに、設定値に＋１を加算する。設定値は１〜６の整数であり、設定値＝６の状態で設定変更スイッチが押下されると、設定値＝１に戻る。
（３）スタートスイッチ１３４を押下する。これにより設定値は確定される。
（４）設定キースイッチをオフにする。
【００９８】
例えば、（３）又は（４）の後に図８のＳ４１が実行される。
【００９９】
Ｓ４１：クリア手段１０−４が第１累積値記憶部１０−２の内容を消去する。
【０１００】
図９は、サブ基板のコマンド受信処理のフローチャートである。この処理はコマンド（累積値を含む）を受信するごとに実行される。
【０１０１】
Ｓ５０：受信部２０−６が受信したコマンド種類を判定する。
受信したコマンドが通常コマンドであればＳ５７，Ｓ５８を実行し、累積値の通知コマンドであればＳ５１乃至Ｓ５６を実行する。
【０１０２】
Ｓ５１：比較部２０−３が第２累積値記憶部２０−２から累積値（サブ累積値）を読み出す。
【０１０３】
Ｓ５２：比較部２０−３が、累積値（サブ累積値）を、メイン基板１０から受けた累積値（メイン累積値）と比較する。
【０１０４】
Ｓ５３：比較結果に基づき処理を選択する。
上述のように、累積手段１０−１と２０−１、累積値記憶部１０−２，２０−２はいずれも同じものであり、また、クリア手段１０−４，２０−５により同じようにクリアされるから（しかも後述のＳ５５の処理が行われるので）、コマンドの改変が行われない限りサブ累積値はメイン累積値と一致するはずである。そこで、不一致のときは前述の不正行為がなされたとみなしてエラー報知を行う（Ｓ５４）。
【０１０５】
Ｓ５５：第２累積値記憶部２０−２は、メイン累積値で内容を上書きする。こうすることで、ノイズ等でたまたまエラーになった（コマンドが化けた）ような場合には、誤ったエラー報知が繰り返しなされることを防止することができる。ノイズ等の影響の場合は、次の比較処理（Ｓ５３）において一致と判定するようになる。
【０１０６】
Ｓ５６：第２累積手段２０−１がコマンドの電文２を累積値（サブ累積値）に加算する。電文２がメイン累積値であれば、サブ累積値にメイン累積値に加算することを意味する。言い換えれば、メイン累積値も他のコマンドの電文２と同じように扱うことになる（メイン基板１０の第１累積手段１０−１でも同じ処理を行う）。なお、Ｓ５６の処理を無くするようにもできる。
【０１０７】
Ｓ５７：第２累積手段２０−１がコマンドの電文２を累積値（サブ累積値）に加算する。
この処理は、図６のＳ２０に相当する。この処理は必須である。
【０１０８】
Ｓ５８：通常のコマンド処理を行う。
この処理は公知なので説明は省略する。
【０１０９】
図１０は、エラー解除コマンド受信処理のフローチャートである。
図９のＳ５４のエラー報知処理はサブ基板２０で行われる。このエラー報知を止めるにはメイン基板１０から特定のコマンドをサブ基板２０へ送る。このコマンドがエラー解除コマンドである。エラー解除コマンドが受信されると図１０の処理が実行される。
【０１１０】
Ｓ６０：エラー報知中かどうか判定し、エラー報知中であればエラー報知終了処理（Ｓ６１）を実行する。エラー報知終了処理は公知であるので説明は省略する。
【０１１１】
図１１は、設定変更時の処理である。これは図８の処理と実質的に同じものである。設定変更については、図８の説明を参照されたい。
【０１１２】
Ｓ７１：クリア手段２０−５が第２累積値記憶部２０−２の内容を消去する。
【０１１３】
図１２はコマンドの説明図である。
【０１１４】
メイン基板１０で生成するコマンドは複数の電文からなる。図１２は２つの電文、つまり電文１（第１電文）と電文２（第２電文）からなるコマンドの例を示す。これは最も簡単な構成である。電文１と電文２の他にも電文を含み３つ以上の電文からなるコマンドについても本発明の実施の形態を適用することができる。
【０１１５】
図１２の例では、各電文は８ビット（１バイト）のデータであり、その先頭ビット（ＭＳＢ）が１であるときは電文１を意味し、０であるときは電文１以外の電文２などを意味する。これらは例えば次のような意義を有する。電文１はコマンドの最初の電文であることを意味すると共に、サブ基板２０に実行させる処理を識別するための情報などを意味する。電文２は、電文１に縦続するコマンドであることを意味すると共に、サブ基板２０が実行すべき処理の内容を具体的に指定する。例えば、電文１で液晶表示装置に関するコマンドであること（液晶表示装置に対して所定の処理を実行させるコマンドであること）を意味するとき、電文２は液晶表示装置に表示すべき具体的な画像（演出）の種類を指定するものである。したがって、電文１と電文２が、その順番で正しく揃って初めてコマンドとして意味をもつ。
【０１１６】
電文１は１バイトであり、例えば設定変更の開始／終了を示すもの、遊技開始／遊技終了を示すもの、エラー発生を示すもの、回胴回転／回胴停止を示すもの、メダルの投入／払い出しを示すものなどがある。
【０１１７】
電文２も１バイトであり、コマンドの具体的な内容を示すものである。例えば、設定変更の終了であれば設定された設定値に応じて電文２が定められ、遊技開始／遊技終了であればＲＴ（リプレイ高確率状態）中であるか、ＢＢ内部中（ボーナスフラグが持ち越されているか）であるかなどに応じて電文２が定められ、エラーであればエラーの内容に応じて電文２が定められる。
【０１１８】
以上のように、この発明の実施の形態によれば、メイン基板、サブ基板それぞれにおいてコマンドの電文２の累積値を求め、遊技終了時点でメイン基板の累積値をサブ基板へ送り、これをサブ基板の累積値と照合することにより、伝送途中でコマンドを勝手に書き換えるという不正行為を検知することができる。当該不正行為を検知したことを報知することで当該不正行為を効果的に抑止することができるようになる。
【０１１９】
なお、サブ基板２０は、メイン基板１０から累積値（メイン累積値）が送られてくるべきタイミング（遊技終了時のような予め定められたタイミング）において、メイン基板１０から累積値を受けないときに、エラー報知部２０−４でエラー報知を行うようにしてもよい。本来受けるべきコマンドを受けないということは何らかのトラブルが生じた（不正行為が行われたなど）可能性が高いから、このような場合にエラー報知を行うことには意義がある。具体的には、上記遊技終了コマンド（電文１、例えば９ＢＨ）を受けたときに図示しないタイマーを起動し、当該タイマーで所定の時間（例えば１秒）を計測し、この間にメイン累積値を受けないときにエラー報知を行うようにする。
【０１２０】
本発明は、以上の実施の形態に限定されることなく、特許請求の範囲に記載された発明の範囲内で、種々の変更が可能であり、それらも本発明の範囲内に包含されるものであることは言うまでもない。
【符号の説明】
【０１２１】
１０      メイン基板
１０−１  第１累積手段
１０−２  第１累積値記憶部
１０−３  送信バッファ
１０−４  クリア手段
２０      サブ基板
２０−１  第２累積手段
２０−２  第２累積値記憶部
２０−３  比較部
２０−４  エラー報知部
２０−５  クリア手段
２０−６  受信部
【図１】
0005938765.tif 000002
【図２】
0005938765.tif 000003
【図３】
0005938765.tif 000004
【図４】
0005938765.tif 000005
【図５】
0005938765.tif 000006
【図６】
0005938765.tif 000007
【図７】
0005938765.tif 000008
【図８】
0005938765.tif 000009
【図９】
0005938765.tif 000010
【図１０】
0005938765.tif 000011
【図１１】
0005938765.tif 000012
【図１２】
0005938765.tif 000013